【手続補正書】
【提出日】平成26年5月28日(2014.5.28)
【手続補正１】
【補正対象書類名】特許請求の範囲
【補正対象項目名】全文
【補正方法】変更
【補正の内容】
【特許請求の範囲】
【請求項１】
ネットワークデバイスの管理装置であって、
ネットワークデバイスの機種と、所定の標準形式で定義された標準設定情報に前記機種が対応しているか否かを示す情報とを関連付けて登録したデバイスリストを格納する手段と、
前記デバイスリストを参照して、対象ネットワークデバイスが前記標準設定情報に対応した機種ではないと判定された場合には、当該対象ネットワークデバイス上で稼働する対象アプリケーションの設定情報を操作するためのエージェントを介して操作対象とする対象アプリケーションの設定情報を操作する操作手段と、
を有することを特徴とする管理装置。
【請求項２】
アプリケーションと、前記標準設定情報に前記アプリケーションが対応しているか否かを示す情報とを関連付けて登録したアプリケーションリストを格納する手段をさらに有し、
前記対象ネットワークデバイスが前記標準設定情報に対応した機種であると判定された際に、前記操作手段は、前記アプリケーションリストを参照して、対象アプリケーションが前記標準設定情報に対応していない場合には前記エージェントを介して前記アプリケーションの設定情報を操作し、前記対象アプリケーションが前記標準設定情報に対応している場合には前記エージェントを介さずに前記設定情報を操作することを特徴とする請求項１に記載の管理装置。
【請求項３】
前記標準形式ではない設定情報に含まれる項目を定義した設定項目定義ファイルを格納する手段と、
前記操作手段による前記エージェントを介した前記設定情報の操作のために、前記設定項目定義ファイルを対象ネットワークデバイスに対して送信する送信手段と、をさらに有することを特徴とする請求項１又は２に記載の管理装置。
【請求項４】
前記操作手段が前記エージェントを介して前記設定情報を操作する際に、前記エージェントが前記対象ネットワークデバイスにインストールされていない場合に、前記エージェントを前記対象ネットワークデバイスにインストールさせるインストール手段をさらに有することを特徴とする請求項１乃至３のいずれか一項に記載の管理装置。
【請求項５】
前記操作手段が行う操作は、前記設定情報の読み出しと、前記設定情報の変更との少なくともいずれかを含むことを特徴とする請求項１乃至４のいずれか一項に記載の管理装置。
【請求項６】
前記操作手段は、前記エージェントを介して前記設定情報の操作を行う場合に、前記設定情報を用いるアプリケーションをいったん停止させてから、前記エージェントを介して前記設定情報を操作することを特徴とする請求項１乃至５のいずれか一項に記載の管理装置。
【請求項７】
ネットワークデバイスの管理装置における管理方法であって、
ネットワークデバイスの機種と、所定の標準形式で定義された標準設定情報に前記機種が対応しているか否かを示す情報とを関連付けて登録したデバイスリストを格納するステップと、
前記デバイスリストを参照して、対象ネットワークデバイスが前記標準設定情報に対応した機種ではないと判定された場合には、当該対象ネットワークデバイス上で稼働する対象アプリケーションの設定情報を操作するためのエージェントを介して前記操作対象とする対象アプリケーションの設定情報を操作する操作ステップと、を有することを特徴とする管理方法。
【請求項８】
請求項１乃至６のいずれか一項に記載の各手段としてコンピュータを機能させるためのプログラム。
【請求項９】
アプリケーションが稼動しているネットワークデバイスであって、
前記アプリケーションにより用いられる所定の標準形式で定義されていない設定情報の操作のためのエージェントを実行するための制御手段と、
ネットワークデバイスを管理する管理装置から、前記アプリケーションの設定情報を操作する要求を受信する受信手段と、
前記要求に従い、前記アプリケーションの設定情報の操作を実行する設定値操作手段と、を有し、
前記設定値操作手段による前記アプリケーションの設定情報の操作の実行に際して、前記エージェントの機能として、前記所定の標準形式で定義されていない設定情報が操作されることを特徴とするネットワークデバイス。
【請求項１０】
前記設定値操作手段は、前記要求の対象となるアプリケーションが所定の標準形式で定義された設定情報である標準設定情報を用いる場合には、当該要求に従い、前記エージェントなしに、前記標準設定情報の操作を実行することを特徴とする請求項９に記載のネットワークデバイス。
【請求項１１】
前記要求には、前記設定情報の読み出しと、前記設定情報の更新と、前記設定情報のうち指定した項目の変更との少なくともいずれかを含むことを特徴とする請求項９又は１０に記載のネットワークデバイス。
【請求項１２】
アプリケーションが稼動しているネットワークデバイスにおける管理方法であって、
ネットワークデバイスを管理する管理装置から、前記アプリケーションの設定情報を操作する要求を受信する受信ステップと、
前記アプリケーションにより用いられる所定の標準形式で定義されていない設定情報の操作のためのエージェントを実行するための制御ステップと、を有し、
前記要求に従い、前記エージェントの機能として、前記所定の標準形式で定義されていない設定情報が操作されることを特徴とする管理方法。
【請求項１３】
管理装置によりアプリケーションが稼動している複数のネットワークデバイスを管理する管理システムであって、
前記管理装置は、ネットワークデバイスの機種と、所定の標準形式で定義された標準設定情報に前記機種が対応しているか否かを示す情報とを関連付けて登録したデバイスリストを格納した手段と、
前記デバイスリストを参照して前記標準設定情報に対応した機種ではないと判定されたネットワークデバイスに当該ネットワークデバイス上で稼働するアプリケーションの設定情報を操作するためのエージェントがインストールされていない場合に、前記エージェントを当該ネットワークデバイスにインストールさせるための指示を行うインストール手段と、
複数のネットワークデバイスのいずれかに対して、ネットワークデバイス上で稼働するアプリケーションの設定情報を操作するための要求を行う操作手段と、を有し、
前記複数のネットワークデバイスに含まれる１台のネットワークデバイスは、
前記インストール手段による指示に従いインストールされた前記エージェントを実行するための制御手段と、
前記管理装置から、前記ネットワークデバイス上で稼動しているアプリケーションの設定情報を操作するための要求を受信する受信手段と、
前記要求に従い、前記アプリケーションの設定情報の操作を実行する設定値操作手段と、を有し、
前記設定値操作手段による前記アプリケーションの設定情報の操作の実行に際して、前記エージェントの機能として、前記所定の標準形式で定義されていない設定情報が操作されることを特徴とする管理システム。
【手続補正２】
【補正対象書類名】明細書
【補正対象項目名】００１０
【補正方法】変更
【補正の内容】
【００１０】
上記目的を達成するために本発明は以下の構成を備える。すなわち、ネットワークデバイスの管理装置であって、
ネットワークデバイスの機種と、所定の標準形式で定義された標準設定情報に前記機種が対応しているか否かを示す情報とを関連付けて登録したデバイスリストを格納する手段と、
前記デバイスリストを参照して、対象ネットワークデバイスが前記標準設定情報に対応した機種ではないと判定された場合には、当該対象ネットワークデバイス上で稼働する対象アプリケーションの設定情報を操作するためのエージェントを介して操作対象とする対象アプリケーションの設定情報を操作する操作手段と、
を有する。
【手続補正３】
【補正対象書類名】明細書
【補正対象項目名】００１１
【補正方法】変更
【補正の内容】
【００１１】
あるいは他の観点によれば、本発明は、アプリケーションが稼動しているネットワークデバイスであって、
前記アプリケーションにより用いられる所定の標準形式で定義されていない設定情報の操作のためのエージェントを実行するための制御手段と、
ネットワークデバイスを管理する管理装置から、前記アプリケーションの設定情報を操作する要求を受信する受信手段と、
前記要求に従い、前記アプリケーションの設定情報の操作を実行する設定値操作手段と、を有し、
前記設定値操作手段による前記アプリケーションの設定情報の操作の実行に際して、前記エージェントの機能として、前記所定の標準形式で定義されていない設定情報が操作される。
【手続補正４】
【補正対象書類名】明細書
【補正対象項目名】００１２
【補正方法】変更
【補正の内容】
【００１２】
あるいは他の観点によれば、管理装置によりアプリケーションが稼動している複数のネットワークデバイスを管理する管理システムであって、
前記管理装置は、ネットワークデバイスの機種と、所定の標準形式で定義された標準設定情報に前記機種が対応しているか否かを示す情報とを関連付けて登録したデバイスリストを格納した手段と、
前記デバイスリストを参照して前記標準設定情報に対応した機種ではないと判定されたネットワークデバイスに当該ネットワークデバイス上で稼働するアプリケーションの設定情報を操作するためのエージェントがインストールされていない場合に、前記エージェントを当該ネットワークデバイスにインストールさせるための指示を行うインストール手段と、
複数のネットワークデバイスのいずれかに対して、ネットワークデバイス上で稼働するアプリケーションの設定情報を操作するための要求を行う操作手段と、を有し、
前記複数のネットワークデバイスに含まれる１台のネットワークデバイスは、
前記インストール手段による指示に従いインストールされた前記エージェントを実行するための制御手段と、
前記管理装置から、前記ネットワークデバイス上で稼動しているアプリケーションの設定情報を操作するための要求を受信する受信手段と、
前記要求に従い、前記アプリケーションの設定情報の操作を実行する設定値操作手段と、を有し、
前記設定値操作手段による前記アプリケーションの設定情報の操作の実行に際して、前記エージェントの機能として、前記所定の標準形式で定義されていない設定情報が操作される。